(57)【要約】【課題】目的の設定値に素早く設定することができる操作入力装置を提供する。【解決手段】この操作入力装置１は、主に、なぞり操作を検出する検出部１２と、なぞり操作の速度を算出する算出部１３と、なぞり操作の速度、及びなぞり操作後の停止時間に基づいて設定値を変更する設定部としての制御部１４と、を備えて概略構成されている。この操作入力装置１は、なぞり操作の速度に基づいて設定温度の変化時間を変えるので、操作を繰り返し行うことなく、目的の設定温度に素早く設定することができる。【選択図】図３
2013134546.tif 000002
【特許請求の範囲】
【請求項１】
なぞり操作を検出する検出部と、
前記なぞり操作の速度を算出する算出部と、
前記なぞり操作の速度、及び前記なぞり操作後の停止時間に基づいて設定値を変更する設定部と、
を備えた操作入力装置。
【請求項２】
前記設定部は、設定値が変化する時間間隔を変更する請求項１に記載の操作入力装置。
【請求項３】
前記設定部は、設定値が変化する変化幅を変更する請求項１に記載の操作入力装置。
【発明の詳細な説明】
【技術分野】
【０００１】
本発明は、操作入力装置に関する。
【背景技術】
【０００２】
従来の技術として、なぞり操作と長押操作とを組み合わせて文字等を入力することができる入力装置が知られている（例えば、特許文献１参照。）。
【０００３】
この入力装置は、なぞり操作後に長押操作を行うと、なぞり操作の方向に基づいて３倍の速度で前方向又は後方向に文字候補が移動する。
【先行技術文献】
【特許文献】
【０００４】
【特許文献１】特開２００１−３０６２２９号公報
【発明の概要】
【発明が解決しようとする課題】
【０００５】
しかし、従来の入力装置は、なぞり操作後の長押操作により、長押操作のみの場合と比べて、３倍の速度で文字候補が移動するが、入力したい文字までの文字数が多いときは、速度が固定であるため、文字候補の移動に時間がかかり操作感が良くなかった。
【０００６】
従って、本発明の目的は、目的の設定値に素早く設定することができる操作入力装置を提供することにある。
【課題を解決するための手段】
【０００７】
本発明の一態様は、なぞり操作を検出する検出部と、なぞり操作の速度を算出する算出部と、なぞり操作の速度、及びなぞり操作後の停止時間に基づいて設定値を変更する設定部と、を備えた操作入力装置を提供する。
【発明の効果】
【０００８】
本発明によれば、目的の設定値に素早く設定することができる。
【図面の簡単な説明】
【０００９】
【図１】図１（ａ）は、第１の実施の形態に係る操作入力装置の概略図であり、（ｂ）は、検出部の構成を示す概略図であり、（ｃ）は、操作入力装置のブロック図である。
【図２】図２（ａ）及び（ｂ）は、第１の実施の形態に係る速度が大きいなぞり操作から長押操作を行った場合の模式図であり、（ｃ）及び（ｄ）は、速度が小さいなぞり操作から長押操作を行った場合の模式図である。
【図３】図３は、第１の実施の形態に係るフローチャートである。
【図４】図４は、第２の実施の形態に係るフローチャートである。
【発明を実施するための形態】
【００１０】
（実施の形態の要約）
実施の形態に係る操作入力装置は、なぞり操作を検出する検出部と、なぞり操作の速度を算出する算出部と、なぞり操作の速度、及びなぞり操作後の停止時間に基づいて設定値を変更する設定部と、を備える。
【００１１】
[第１の実施の形態]
（操作入力装置１の構成）
図１（ａ）は、第１の実施の形態に係る操作入力装置の概略図であり、（ｂ）は、検出部の構成を示す概略図であり、（ｃ）は、操作入力装置のブロック図である。
【００１２】
操作入力装置１は、一例として、車両に搭載された電子機器の設定値を設定することができるものである。本実施の形態に係る操作入力装置１は、一例として、空調装置から送出される温度調整された空気の設定温度を設定することができるものとして説明する。
【００１３】
この操作入力装置１は、主に、なぞり操作を検出する検出部１２と、なぞり操作の速度を算出する算出部１３と、なぞり操作の速度、及びなぞり操作後の停止時間に基づいて設定値を変更する設定部としての制御部１４と、を備えて概略構成されている。以下では、例えば、指を検出部１２に接触させてスライドさせる操作をなぞり操作と記載する。
【００１４】
また、操作入力装置１は、例えば、図１（ｃ）に示すように、表示部１０と、記憶部１５と、を備えて概略構成されている。
【００１５】
（表示部１０の構成）
表示部１０は、例えば、液晶ディスプレイを含んで構成される。この表示部１０は、例えば、図１（ａ）に示すように、設定温度表示領域１００と、風量表示領域１０１と、吹出口表示領域１０２と、を有している。
【００１６】
設定温度表示領域１００は、例えば、空調装置の現在の設定温度を表示する領域である。風量表示領域１０１は、例えば、空調装置の現在の風量を表示する領域である。吹出口表示領域１０２は、例えば、車両のいずれの吹出口から温度調整された空気が吹出しているのかを表示する領域である。なお、設定値の変更は、例えば、風量の変更及び吹出口の変更であっても良い。
【００１７】
（検出部１２の構成）
検出部１２は、例えば、操作者の指と電極との間に形成される静電容量を検出することができるように構成されている。具体的には、検出部１２は、例えば、図１（ｂ）に示すように、第１の電極１２１〜第９の電極１２９を備えて概略構成されている。この第１の電極１２１〜第９の電極１２９は、例えば、導電性を有する銅等の金属材料を用いて矩形状に形成されている。
【００１８】
検出部１２は、例えば、図１（ａ）に示すように、逆三角マーク１２ａと、三角マーク１２ｂと、が表面に印刷されている。操作者は、逆三角マーク１２ａ近傍に長押操作又は短押操作を行うことにより、設定温度を下降させることができる。また、操作者は、三角マーク１２ｂ近傍に長押操作又は短押操作を行うことにより、設定温度を上昇させることができる。
【００１９】
具体的には、第１の電極１２１〜第３の電極１２３は、例えば、ＤＯＷＮエリアを構成し、第７の電極１２７〜第９の電極１２９は、ＵＰエリアを構成する。従って、操作入力装置１は、ＵＰエリア内で長押操作又は短押操作がなされた場合は、設定温度が上昇し、ＤＯＷＮエリア内で長押操作又は短押操作がなされた場合は、設定温度が下降するように構成されている。
【００２０】
また、操作者が、検出部１２の上部（三角マーク１２ｂがある場所）に向けてなぞり操作すると、設定温度を上昇させることができる。また、操作者が、検出部１２の下部（逆三角マーク１２ａがある場所）に向けてなぞり操作すると、設定温度を下降させることができる。この設定温度の上昇及び下降の幅は、一例として、なぞり操作の距離に比例する。
【００２１】
操作入力装置１は、例えば、操作者がＵＰエリア、つまり、第７の電極１２７〜第９の電極１２９の少なくとも１つの電極に対して長押操作を行うと、予め定められた時間間隔（以下に、変化時間と記載する。）で現在の設定温度から変化ステップ数である０．５℃ずつ上昇するように設定温度表示領域１００に表示された表示が変わると共に、制御部１４から空調装置へ制御信号が出力されるように構成されている。ここで、変化ステップ数とは、設定温度を上昇又は下降させるときの変化幅である。本実施の形態に係る変化ステップ数は、一例として、０．５℃であり、速度等によらず一定である。
【００２２】
また、操作入力装置１は、例えば、操作者がＤＯＷＮエリア、つまり、第１の電極１２１〜第３の電極１２３の少なくとも１つの電極に対して長押操作を行うと、予め定められた変化時間で現在の設定温度から０．５℃ずつ下降するように設定温度表示領域１００に表示された表示が変わると共に、制御部１４から空調装置へ制御信号が出力される。ここで、長押操作とは、例えば、予め決められた時間以上、検出部１２を指で触れて移動させない操作を示す。
【００２３】
（算出部１３の構成）
算出部１３は、例えば、検出部１２から出力された各電極の静電容量値から操作者の指が触れている座標、及びなぞり操作の速度を算出するように構成されている。
【００２４】
座標の算出は、一例として、予め定められた周期（一例として３０ｍｓ）で、第１の電極１２１〜第９の電極１２９までの静電容量Ｃ１〜静電容量Ｃ９を読み出し、第１の電極１２１〜第９の電極１２９の定数を０〜８００として読み出した静電容量Ｃ１〜静電容量Ｃ９に乗算して和を算出し、算出された和を読み出した静電容量Ｃ１〜静電容量Ｃ９の和で除算して行われる。従って、座標は、例えば、第１の電極１２１から第９の電極１２９に向って０〜８００の範囲の値を取る。
【００２５】
また、速度の算出は、上記で算出したなぞり操作開始座標となぞり操作終了座標と、から距離を算出し、なぞり操作開始時間となぞり操作終了時間とから経過時間を算出し、算出した距離を算出した経過時間で除算することで行われる。
【００２６】
長押操作の判定は、一例として、予め定められた時間（一例として、０．８ｓ）以上、指が所定の範囲内に留まって検出された場合、長押操作が行われていると判定する。なお、指が所定の範囲内に留まって検出された時間が、予め定められた時間よりも短い場合は、短押操作と判定される。
【００２７】
算出部１３は、上記で算出した座標、速度及び判定結果を操作情報として制御部１４に出力する。
【００２８】
（制御部１４の構成）
図２（ａ）及び（ｂ）は、第１の実施の形態に係る速度が大きいなぞり操作から長押操作を行った場合の模式図であり、（ｃ）及び（ｄ）は、速度が小さいなぞり操作から長押操作を行った場合の模式図である。
【００２９】
制御部１４は、例えば、プログラムに従って、取得したデータに演算、加工等を行うＣＰＵ（Central Processing Unit）、半導体メモリであるＲＡＭ及びＲＯＭ（Read Only Memory）等から構成されるマイクロコンピュータである。ＲＡＭは、例えば、一時的に演算結果等を格納する記憶領域として用いられる。
【００３０】
制御部１４は、例えば、設定温度を表示部１０に表示させる表示制御信号を生成すると共に、空調装置を制御する制御信号を生成する。空調装置は、例えば、この制御信号に基づいた設定温度に応じて温度調整された空気を車室内に供給する。
【００３１】
また、制御部１４は、図２（ａ）〜（ｄ）に示すように、なぞり操作後に長押操作が行われたとき、なぞり操作の速度に応じて設定温度（設定値）が変化する変化時間を変更する。このなぞり操作の速度の判定は、例えば、記憶部１５に記憶されている速度しきい値１５０と、算出部１３により算出された速度と、を比較することにより行われる。この速度しきい値１５０は、一例として、１５〜３０ｃｍ／ｓの幅を有するしきい値である。算出された速度が、例えば、速度しきい値１５０の範囲内の速度である場合、通常の速度と判定される。また、算出された速度が、例えば、下限値（１５ｃｍ／ｓ）未満の速度である場合、速度が小さいと判定される。また、算出された速度が、例えば、上限値（３０ｃｍ／ｓ）よりも大きい速度である場合、速度が大きいと判定される。
【００３２】
本実施の形態では、制御部１４は、算出された速度が、上記の大きい速度である場合、変化時間を通常の変化時間よりも早くする（短時間）。また、制御部１４は、例えば、算出された速度が、上記の小さい速度である場合、変化時間を通常の変化時間よりも遅くする（長時間）。また、制御部１４は、算出された速度が、上記の通常の速度である場合、変化時間を通常の変化時間とする。なお、この通常の変化時間は、一例として、２００ｍｓである。また、なぞり操作の速度が大きい場合の変化時間は、一例として、１００ｍｓである。さらに、なぞり操作の速度が小さい場合の変化時間は、一例として、３００ｍｓである。
【００３３】
（記憶部１５の構成）
記憶部１５は、例えば、半導体メモリであり、速度しきい値１５０を記憶している。なお、記憶部１５は、例えば、制御部１４のＲＡＭ又はＲＯＭであっても良い。
【００３４】
以下に、本実施の形態に係る操作入力装置１のなぞり操作後に長押操作が行われる動作を、各図を参照しながら図３のフローチャートに従って説明する。
【００３５】
（動作）
操作入力装置１の算出部１３は、電源が投入されると、予め定められた周期に従って検出部１２が検出した静電容量を読み出す（Ｓ１）。
【００３６】
次に、算出部１３は、読み出した静電容量に基づいてなぞり操作が検出されたか否かを判定する。算出部１３は、なぞり操作が検出されたと判定すると（Ｓ２：Ｙｅｓ）、長押操作が検出されたか否かを判定する。
【００３７】
次に、算出部１３は、長押操作が検出されたと判定すると（Ｓ３：Ｙｅｓ）、なぞり操作と長押操作とに基づいてなぞり操作の時間と距離を算出する（Ｓ４）。
【００３８】
次に、算出部１３は、検出されたなぞり操作の時間と距離とに基づいて速度を算出する（Ｓ５）。続いて、算出部１３は、操作情報を制御部１４に出力する。
【００３９】
次に、制御部１４は、取得した操作情報に基づいて算出された速度と、速度しきい値１５０と、を比較する。制御部１４は、算出された速度が、速度しきい値１５０の上限値より大きいとき（Ｓ６：Ｙｅｓ）、長押操作が終了するまで、変化時間を短時間として設定温度を設定する（Ｓ７）。制御部１４は、例えば、図２（ａ）及び（ｂ）に示すように、なぞり操作が設定温度を下降させるように行われているので、長押操作が終了するまで設定温度を下降させる。
【００４０】
ここで、ステップ２において、制御部１４は、読み出した静電容量に基づいて、なぞり操作が検出されない場合（Ｓ２：Ｎｏ）、ステップ１に戻る。
【００４１】
また、ステップ３において、制御部１４は、なぞり操作後に長押操作が検出されない場合（Ｓ３：Ｎｏ）、なぞり操作の距離に基づいて設定温度を設定する（Ｓ１１）。
【００４２】
さらに、ステップ６において、制御部１４は、なぞり操作の速度が速度しきい値１５０の上限値以下であり（Ｓ６：Ｎｏ）、さらに、速度しきい値１５０の下限値より小さいとき（Ｓ８：Ｙｅｓ）、長押操作が終了するまでの変化時間を長時間として設定温度を設定する（Ｓ９）。
【００４３】
また、ステップ８において、制御部１４は、なぞり操作の速度が速度しきい値１５０の範囲内であるとき（Ｓ８：Ｎｏ）、長押操作が終了するまでの変化時間を通常の変化時間として設定温度を設定する（Ｓ１０）。ここで、制御部１４は、例えば、図２（ｃ）及び（ｄ）に示すように、ステップ９及びステップ１０において、なぞり操作が設定温度を下降させるように行われているので、長押操作が終了するまで設定温度を下降させる。
【００４４】
（第１の実施の形態の効果）
本実施の形態に係る操作入力装置１は、なぞり操作の速度に応じて変化時間を変えることができるので、目的の設定温度に素早く設定することができる。例えば、変化時間が一定である場合、一回のなぞり操作により上昇又は下降させることができる設定温度が大きいと、目的の設定温度に調整することが困難となり、また小さいと、目的の設定温度に調整するために何度もなぞり操作や長押操作を行わなければならない。しかし、本実施の形態に係る操作入力装置１は、なぞり操作の速度に基づいて設定温度の変化時間を変えるので、操作を繰り返し行うことなく、目的の設定温度に素早く設定することができる。
【００４５】
なお、上記の実施の形態における操作入力装置１は、速度に応じて三種類の変化時間を切り替えていたが、これに限定されず、さらに複数のしきい値を設け、速度に応じて三種類以上の変化時間を切り替える構成であっても良い。
【００４６】
［第２の実施の形態］
第２の実施の形態は、変化時間ではなく、速度に応じて設定値が変化する変化幅が変更される点で、第１の実施の形態と異なっている。なお、以下の実施の形態において、第１の実施の形態と同じ機能及び構成を有する部分は、第１の実施の形態と同じ符号を付し、その説明は省略するものとする。
【００４７】
本実施の形態では、例えば、速度に応じて、設定値が変化する変化幅としての変化ステップ数が変更される。
【００４８】
以下に、本実施の形態に係る操作入力装置１のなぞり操作後に長押操作が行われる動作を、各図を参照しながら図４のフローチャートに従って説明する。
【００４９】
（動作）
操作入力装置１の算出部１３は、電源が投入されると、予め定められた周期に従って検出部１２が検出した静電容量を読み出す（Ｓ２１）。
【００５０】
次に、算出部１３は、読み出した静電容量に基づいてなぞり操作が検出されたか否かを判定する。算出部１３は、なぞり操作が検出されたと判定すると（Ｓ２２：Ｙｅｓ）、長押操作が検出されたか否かを判定する。
【００５１】
次に、算出部１３は、長押操作が検出されたと判定すると（Ｓ２３：Ｙｅｓ）、なぞり操作と長押操作とに基づいてなぞり操作の時間と距離を算出する（Ｓ２４）。
【００５２】
次に、算出部１３は、検出されたなぞり操作の時間と距離とに基づいて速度を算出する（Ｓ２５）。続いて、算出部１３は、操作情報を制御部１４に出力する。
【００５３】
次に、制御部１４は、取得した操作情報に基づいて算出された速度と、速度しきい値１５０と、を比較する。制御部１４は、算出された速度が、速度しきい値１５０の上限値より大きいとき（Ｓ２６：Ｙｅｓ）、長押操作が終了するまで、変化ステップ数を増加させて設定温度を設定する（Ｓ２７）。制御部１４は、例えば、図２（ａ）及び（ｂ）に示すように、なぞり操作が設定温度を下降させるように行われているので、長押操作が終了するまで設定温度を下降させる。なお、通常の変化ステップ数は、一例として、０．５℃である。なぞり操作の速度が大きい場合の変化ステップ数は、一例として、１．０℃である。なぞり操作の速度が小さい場合の変化時間は、一例として、０．２℃である。この速度の判定は、第１の実施の形態における判定と同方法で行われる。
【００５４】
ここで、ステップ２２において、制御部１４は、読み出した静電容量に基づいて、なぞり操作が検出されない場合（Ｓ２２：Ｎｏ）、ステップ２１に戻る。
【００５５】
また、ステップ２３において、なぞり操作後に長押操作が検出されない場合（Ｓ２３：Ｎｏ）、なぞり操作の距離に基づいて設定温度を設定する（Ｓ３１）。
【００５６】
さらに、ステップ２６において、制御部１４は、なぞり操作の速度が速度しきい値１５０の上限値以下であり（Ｓ２６：Ｎｏ）、さらに、速度しきい値１５０の下限値より小さいとき（Ｓ２８：Ｙｅｓ）、長押操作が終了するまでの変化ステップ数を減少させて設定温度を設定する（Ｓ２９）。
【００５７】
また、ステップ２８において、制御部１４は、なぞり操作の速度が速度しきい値１５０の範囲内であるとき（Ｓ２８：Ｎｏ）、長押操作が終了するまでの変化ステップ数を通常の変化ステップ数として設定温度を設定する（Ｓ３０）。ここで、制御部１４は、例えば、図２（ｃ）及び（ｄ）に示すように、ステップ２９及びステップ３０において、なぞり操作が設定温度を下降させるように行われているので、長押操作が終了するまで設定温度を下降させる。
【００５８】
（第２の実施の形態の効果）
本実施の形態に係る操作入力装置１は、なぞり操作の速度に応じて変化ステップ数を変えることができるので、目的の設定温度に素早く設定することができる。例えば、変化ステップ数が一定である場合、一回のなぞり操作により上昇又は下降させることができる設定温度が大きいと、目的の設定温度に調整することが困難となり、また小さいと、目的の設定温度に調整するために何度もなぞり操作や長押操作を行わなければならない。しかし、本実施の形態に係る操作入力装置１は、なぞり操作の速度に基づいて設定温度の変化ステップ数を変えるので、操作を繰り返し行うことなく、目的の設定温度に素早く設定することができる。
【００５９】
なお、上記の実施の形態に係る操作入力装置１は、速度に応じて三種類の変化ステップ数を切り替えていたが、これに限定されず、さらに複数のしきい値を設け、速度に応じて三種類以上の変化ステップ数を切り替える構成であっても良い。例えば、操作入力装置１が複数のしきい値を有し、そのしきい値に応じて通常の変化時間数又は変化ステップ数を基準として、１／２倍、１倍、２倍、３倍等に切り替える構成であっても良い。
【００６０】
また、操作入力装置１は、例えば、速度に応じて変化時間数と変化ステップ数とを組み合わせて切り替えても良い。
【００６１】
上記の各実施の形態に係る操作入力装置１は、空調装置の設定温度等を設定するものであったが、音楽再生装置、カーナビゲーション装置等の文字や数字を入力する電子機器に用いられても良い。
【００６２】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００６３】
１…操作入力装置
１０…表示部
１２…検出部
１２ａ…逆三角マーク
１２ｂ…三角マーク
１３…算出部
１４…制御部
１５…記憶部
１００…設定温度表示領域
１０１…風量表示領域
１０２…吹出口表示領域
１２１〜１２９…第１の電極〜第９の電極
１５０…速度しきい値
【図１】
2013134546.tif 000003
【図２】
2013134546.tif 000004
【図３】
2013134546.tif 000005
【図４】
2013134546.tif 000006